(57)【要約】【課題】電話機で受話器を載置台へ置く際の衝撃音の発生や衝撃による損傷を防止し、かつ相手方よりも「早切り」になることを無くす。【解決手段】卓上型電話機の受話器載置部１に後付けまたは内蔵しておくものであり、先部に二股状の受話器受け部４をもつ支持棒３を、受話器を掛けない際の上方にある状態から、受話器を掛けた際に受話器５の一部がフックスイッチ６を押下げる状態まで可動に設け、かつ受け部４へ受話器を掛けた際に支持棒３が下方へ動くスピードを抑える下降スピード抑制手段７と、受話器を外した際に該支持棒３を元の上方位置へ戻す復元手段８を設けたものである。【選択図】        図１
2004229155.tif 000002
【特許請求の範囲】
【請求項１】
卓上型電話機の受話器載置部１に後付けするもので、
取付け用座部２に、先部に二股状の受話器受け部４をもつ支持棒３を、受話器５を載せぬ際の上方へ傾斜状から、受話器５を載せた際に受話器５の一部がフックスイッチ６を押下げるほぼ水平状まで可回動に設け、
かつ、上記受け部４へ受話器５を載せた際に支持棒３が下方へ回動するスピードを抑える下降スピード抑制手段７と、受話器５を外した際に該支持棒３を元の斜め状へ戻す復元手段８を設けてなる、受話器の早切り・衝撃音防止用装置。
【請求項２】
下降スピード抑制手段７として、流体式のダンパーを用いた、請求項１に記載の受話器の早切り・衝撃音防止用装置。
【請求項３】
下降スピード抑制手段７に、ローターが回転することにより流体の粘性抵抗で回転運動に制動力を作用させるロータリーダンパーを用いた、請求項１または２に記載の受話器の早切り・衝撃音防止用装置。
【請求項４】
下降スピード抑制手段７に、内部のべーンが回転することにより流体を圧縮して回転運動に制動力を作用させる揺動ダンパーを用いた、請求項１または２に記載の受話器の早切り・衝撃音防止用装置。
【請求項５】
下降スピード抑制手段７に、摩擦抵抗により回動を抑制するダンパーを用いた、請求項１または２に記載の受話器の早切り・衝撃音防止用装置。
【請求項６】
下降スピード抑制手段７に、大きな歯車比の歯車列による変速装置を利用して入力側に負荷を与えるようにした、請求項１に記載の受話器の早切り・衝撃音防止用装置。
【請求項７】
下降スピード抑制手段７の抑制力を調整可能とした、請求項１、２または６に記載の受話器の早切り・衝撃音防止用装置。
【請求項８】
卓上型電話機の受話器載置部１から、上部が二股状の受話器受け部４をもつ支持棒３を、ほぼ垂直状に昇降可能に設けたもので、
上記支持棒３を受話器５を載せぬ際の上方へ突出状から、受話器５を載せた際に受話器５の一部がフックスイッチ６を押下げる下方位置まで昇降可能とし、
かつ、受話器載置部１内の支持棒３の基部９に、上記受け部４へ受話器５を載せた際に支持棒３が下降するスピードを抑える下降スピード抑制手段７と、受話器５を外した際に支持棒３を元の上方位置まで突出させる復元手段８を設けてなる、受話器の早切り・衝撃音防止用装置。
【請求項９】
下降スピード抑制手段７に、流体式の直動型ダンパー、ショックアブソーバーまたはガススプリングを用いた、請求項８に記載の受話器の早切り・衝撃音防止用装置。
【請求項１０】
下降スピード抑制手段７に、内部のピストンの下降に対する流体の粘性抵抗で下降スピードに制動力を作用させる直動型ダンパーまたはショックアブソーバーを用いた、請求項８または９に記載の受話器の早切り・衝撃音防止用装置。
【請求項１１】
下降スピード抑制手段７に、内部のピストンの下降による流体の圧縮で制動力を作用させる直動型ダンパー、ショックアブソーバーまたはガススプリングを用いた、請求項８または９に記載の受話器の早切り・衝撃音防止用装置。
【請求項１２】
下降スピード抑制手段７に、ピストンの下降に対して摩擦抵抗により下降を抑制する直動型ダンパーまたはショックアブソーバーを用いた、請求項８または９記載の受話器の早切り・衝撃音防止用装置。
【請求項１３】
復元手段８に、圧縮コイルバネ、ねじりコイルバネ、または油圧バネの如きバネ類を用いた、請求項１または８に記載の受話器の早切り・衝撃音防止用装置。
【請求項１４】
下降スピード抑制手段７と復元手段８に、両者を兼用するものを用いた、請求項１または８に記載の受話器の早切り・衝撃音防止用装置。
【発明の詳細な説明】
【０００１】
【発明の属する技術分野】
本発明は、卓上電話機での会話終了時に、送受話器（以下単に受話器という）を受話器載置台へ置いた際の衝撃音の発生を防止すると共に、相手よりも先に電話を切ってしまう「早切り」を無くすための装置に関するものである。
【０００２】
【従来の技術】
卓上電話器で会話終了時に、受話器をゆっくり慎重に受話器載置台へ置けばよいが、近時はマナーを知らず乱暴に置く人が少なくない。受話器を乱暴に置いた際の衝撃音は、相手方に伝わって驚かせたり不快な思いをさせると共に、自分の方も周囲の人も驚かせたり不快な思いをさせたりする。その衝撃音の発生等を防止するためのものとして、従来例えば次のようなものがある。
【０００３】
ａ）受話器が受話器置き台の近傍にあることを検出する赤外線センサーと、そこらかの信号により送受信を停止またはミュートする手段を備えたもの（例えば特開平５−１０３０６４号公報参照）。
【０００４】
ｂ）受話器置き台上の二箇所の凹陥部の底面を、軟質製の緩衝面材で被覆するもの（例えば実登第３０３５００１号公報参照）。
【０００５】
ｃ）受話器とケーブルとの間に、吊り下げた重りが卓上面に接触した際にスイッチが切れる手段を設けたもの（例えば実登第３０８３６７１号公報参照）。
【０００６】
【発明が解決しようとする課題】
ところが、上記従来の手段には次のような問題点が残っている。
まず上記ａ）のように、赤外線センサーを設けたものは、確かに受話器を載置台へ乱暴に置いても先にＯＦＦになっているから、その衝撃音は相手方に伝わらい。しかし、自分の方の周囲の人をその衝撃音で驚かせたり、不快な思いをさせるし、衝撃で受話器自体や載置台に損傷を生じることもある。また受話器を置く前に送受信が切れてしまうために、「早切り」になり易く、この点で相手方に不愉快な思いをさせることになる。
【０００７】
次に上記ｂ）の如く、受話器載置台の凹陥部底面を緩衝面材で被覆するようにしたものは、受話器を正確に緩衝面材上に置けばよいが、受話器を乱暴に置く場合には受話器が凹陥部のテーパー状側壁へ先に当たってしまうので、やはり衝撃音が発生する。そのため、衝撃音が相手方に伝わってしまうし、自分の周辺の人を驚かせたり、不快にさせたりする。また受話器が緩衝面材上に載置されるのとほぼ同時にＯＦＦになるので、「早切り」になることは従来と変わらない。
【０００８】
さらに上記ｃ）のように、重りが卓上面に接触した際にスイッチが切れる手段を設けたものは、受話器を載置台へ乱暴に置いても、上記ａ）のものと同様に先にスイッチがＯＦＦになっているから、衝撃音が相手方へ伝わることはない。しかし、自分の方の周囲の人を衝撃音で驚かせたり不快な思いをさせるし、衝撃で受話器自体や載置台を損傷させることもある。また受話器を置く前にＯＦＦになるために「早切り」になり易く、相手方に不快な思いをさせてしまう。
【０００９】
本発明は、上記従来の手段がもつ問題点の解消を課題としたものである。即ち本発明の目的は、卓上電話機において会話終了時に受話器を載置台へ置く際の衝撃音の発生や衝撃による損傷を防止すると共に、相手方よりも「早切り」になることを無くせるようにした、受話器の早切り・衝撃音防止用装置の提供である。
【００１０】
【課題を解決するための手段】
Ａ  本発明に係る受話器の早切り・衝撃音防止用装置の第１は、
卓上型電話機の受話器載置部１に後付けするもので、
取付け用座部２に、先部に二股状の受話器受け部４をもつ支持棒３を、受話器５を載せぬ際の上方へ傾斜状から、受話器５を載せた際に受話器５の一部がフックスイッチ６を押下げるほぼ水平状まで可回動に設け、
かつ、上記受け部４へ受話器５を載せた際に支持棒３が下方へ回動するスピードを抑える下降スピード抑制手段７と、受話器５を外した際に該支持棒３を元の斜め状へ戻す復元手段８を設けたものである。
【００１１】
Ｂ  本発明に係る受話器の早切り・衝撃音防止用装置の第２は、
卓上型電話機の受話器載置部１から、上部が二股状の受話器受け部４をもつ支持棒３を、ほぼ垂直状に昇降可能に設けたもので、
上記支持棒３を受話器５を載せぬ際の上方へ突出状から、受話器５を載せた際に受話器５の一部がフックスイッチ６を押下げる下方位置まで昇降可能とし、
かつ、受話器載置部１内の支持棒３の基部９に、上記受け部４へ受話器５を載せた際に支持棒３が下降するスピードを抑える下降スピード抑制手段７と、受話器５を外した際に支持棒３を元の上方位置まで突出させる復元手段８を設けたものである。
【００１２】
【発明の実施の形態】
上記第１および第２の発明での電話機は卓上型のもので、水平またはほぼ水平状に載置するタイプのものである。
【００１３】
上記第１の発明の構成で、受話器載置部１に固定する取付け用座部２は、受話器載置部１上面や側面に固定するもので、金属製または硬質や半硬質の合成樹脂製とすればよいが、受話器載置部１上面や側面が湾曲した形状のものでは、それに合わせて変形させられるものが望ましい。また該取付け用座部２を受話器載置部１へ固定するには、購入者が容易に設置できるように、例えば両面接着テープを用いるのがよいが、それに限らず接着剤を用いてもよいし、他の何らかの掛止手段によってもよい。
【００１４】
同じく第１の発明の構成で、受話器受け部４をもつ支持棒３は、不用意に曲がったり湾曲したりしないように、金属製または硬質の合成樹脂製とするのがよいが、金属製の場合は受話器５への損傷を防止する意味から樹脂コーティングを施しておくのがよい。受話器受け部４は、受話器５の首部近傍を係合・掛止させるため上方へ二股状であるが、上方ほど広がり気味としておく。
【００１５】
さらに該支持棒３は、上記座部２にその基部９で回動可能に設けてあるが、その回動の範囲は、受け部４に受話器５を掛けぬ際の先部が上方へ傾斜状から、受話器５を掛けた際の荷重で回動してほぼ水平状になり、少なくとも受話器５の一部がフックスイッチ６を押下げる程度までは可能としてある。
【００１６】
該支持棒３には、下降スピード抑制手段（スピードコントローラー）７と復元手段８とを設けてある。下降スピード抑制手段７は、受話器受け部４に受話器５を掛けた際に、その荷重で支持棒３が下方へ回動する際の下降スピードを抑制して、ゆっくりと下降させるものであればよい。
【００１７】
例えば、ローターが回転することにより、流体例えばオイルの粘性抵抗で回転運動に制動力を作用させるロータリーダンパー、内部の流体例えばオイル、エアーまたはガス等を圧縮して回転運動に制動力を作用させる揺動ダンパー、摩擦により回動を抑制するダンパー等のダンパー類を利用することが望ましい。しかしその他にも、例えば大きな歯車比の歯車列による変速装置を利用して、回動・下降する支持棒３側に負荷を与えることで、回動・下降スピードを抑制するようにすることも可能である（例えば図９参照）。
【００１８】
また復元手段８は、受話器５を外した際に支持棒３が上方へ回動して元の斜め状に戻すものであればよい。例えば圧縮コイルバネ、ねじりコイルバネ、油圧バネ等のバネ類がある。また復元手段８と上記下降スピード抑制手段７とを兼用するものがあれば、それを用いることが省スペースの観点から望ましい。
【００１９】
上記下降スピード抑制手段７の制動力と復元手段８の復元力の関係は、強すぎると受話器５を掛けても支持棒３がなかなか下降しないし、弱すぎると下降が早すぎてしまう。受話器載置部１に受話器５を置いてから、フックスイッチ６を押下げる位置へ下降するまでに、例えば約１秒間程度遅れるようにしておことが望ましいが、それに限るものではない。
【００２０】
なお、受話器５の重さは機種によって異なるので、下降スピード抑制手段７や復元手段８は、その制動力や復元力の強・弱を調整可能にしておくのがよい。例えば、下降スピード抑制手段としてのダンパーを、つまみによる調整で制動力を可変としたものを用いたり（例えば図１参照）、またダンパーの軸と支持棒３の横軸とをギヤやレバーを介して連結し、ギヤ比やレバー比を変えることでトルクを変えるようにしてたものでもよい。しかし予め制動力や復元力の異なる種類のものを数種類用意しておいてもよい。
【００２１】
上記第２の発明の構成は、卓上型電話機の受話器載置部１に形成した孔から、上部が二股状の受話器受け部４をもつ支持棒３をほぼ垂直状に昇降可能に設けてある。
【００２２】
上記支持棒３も、不用意に曲がったり湾曲したりしないように、金属製または硬質の合成樹脂製とすればよいが、金属製の場合は受話器５への損傷を防止する意味から樹脂コーティングを施しておくのがよい。受話器受け部４は、受話器５の首部近傍を係合・掛止させるため上方へ二股状であるが、上方ほど広がり気味としておく。
【００２３】
該支持棒３が昇降する範囲は、受け部４に受話器５を掛けぬ際には上方へ突出した状態にあり、受話器５を掛けて荷重が掛かった際に下降して、少なくとも受話器５の一部がフックスイッチ６を押下げる下方位置まで下降可能としてある。
【００２４】
そしてこの支持棒３にも、下降スピード抑制手段７と復元手段８とを設けてある。下降スピード抑制手段７は、受話器受け部４に受話器５を掛けた際に、その荷重で支持棒３が下降する際の下降スピードを抑制して、ゆっくりと下降させるものであればよい。例えば、内部のオイル等の流体の粘性抵抗を制動力として作用させる直動型のダンパー、内部のオイル等の流体を圧縮して制動力を作用させる直動型のダンパー、その他摩擦抵抗により回動を抑制する直動型のダンパー等のダンパー類を利用することが望ましいが、これに限るものではない。
【００２５】
また復元手段８は、受話器受け部４に受話器５を載せることで下降した支持棒３が、受話器５を外した際に上昇して元の位置へ戻すものであればよく、例えば圧縮コイルバネ、ねじりコイルバネ、油圧バネ等のバネ類を用いればよい。
【００２６】
上記下降スピード抑制手段７の制動力と復元手段８の復元力との関係は、強すぎると受話器５を掛けても支持棒３がなかなか下降しないし、弱すぎると下降が早すぎてしまう。受話器受け部４に受話器５を置いてから、フックスイッチ６を押下げる位置まで下降するのが、例えば約１秒間程度遅れるようにしておくことが望ましいが、これに限るものではない。
【００２７】
さらに、ここでの支持棒３の動きは昇・降する直線運動であるから、上記下降スピード抑制手段７と復元手段８とを兼用するものがあれば、それを用いることが望ましく、例えば流体式例えば油圧、エアーまたはガス式のショックアブソーバーやガススプリング等を用いればよい（例えば図６参照）。
【００２８】
受話器５の重さは機種によって異なるが、ここでは電話機の製造段階で予め下降スピード抑制手段７や復元手段８を内蔵しておくので、その受話器５の重さに応じて制動力や復元力を予め設定してある。
【００２９】
なお、支持棒３は、必要に応じて長さ調節可能なようにしておくのがよい（例えば図９参照）。
【００３０】
上記本発明に係る受話器の早切り・衝撃音防止用装置の使用状態・作用は、次のようになる。
まず上記第１の発明のものでは、卓上型電話機の受話器載置部１の上方に受話器受け部４がくるように、その取付け用座部２を両面テープ等により固着して設置すればよい。
【００３１】
本発明に係る装置の受け部４に受話器５を載せる前には、支持棒３は復元手段８の復元力によって先部が上方の傾斜状となっており、受け部４も上方位置にある（例えば図１，図３参照）。その受け部４に受話器５を載せると、受話器５の荷重により支持棒３が下降スピード抑制手段７の制動力を受けながら徐々に下降して、ほぼ水平状にまで基部を中心に回動した時点で、受話器５の一部がフックスイッチ６を押下げてＯＦＦとなり、電話機は待機状態になっている（例えば図５参照）。
【００３２】
上記電話機に電話がかかってきた場合は、従来の通常の電話機と同様に受話器５を持ち上げて通話すればよい。受話器５を持ち上げることにより、受話器５の荷重を受けなくなった支持棒３は、復元手段８により押し上げられて、受け部４に受話器５を載せる前と同様に、先部が上方の傾斜状となり、受け部４も上方位置になっている（例えば上記図１，図３参照）。
【００３３】
この電話機による通話が終了した場合には、受話器５を受話器載置台１上へ載置するのではなく、本発明に係る装置の受け部４に受話器５の首部を掛けるようにして載置すればよい。受話器５の荷重を受けた支持棒３は、基部９を支点に回動して復元手段８の復元力に抗して下降するが、その際の下降スピードは下降スピード抑制手段７による制動力の作用を受けているから、急激ではなく徐々に下降することになる。
【００３４】
そのため、受話器受け部４に掛けた受話器５もゆっくりと下降することになって、受話器５が受話器載置台１に激しく当たることが防止される。これで、受話器５を置いた際の衝撃音が発生しなくなるから、相手方に衝撃音が伝わることは無く、驚かせたり不快な思いをさせることが無いし、自分の周囲の人も衝撃音で驚かせたり不快にさせることも無くなる。
【００３５】
同時に、上記の如く受話器５がゆっくりと下降することで、受話器５の一部がフックスイッチ６を押下げるまでに、少し時間（例えば約１秒間）の間隔が空くことになる。これで、相手方よりも先に電話を切ってしまう「早切り」を防止して、この面でも相手方に不快な思いをさせることが無くなる。
【００３６】
他方、上記第２の発明に係る装置は、電話機の製造段階で予め設けられているので、この装置付きの電話機をそのまま用いればよい。受け部４を持つ支持棒３は上方へ突出している。
【００３７】
上記受け部４に受話器５の首部近傍を載せた際には、受話器５の荷重により支持棒３が復元手段８の復元力に抗して徐々に下降した後に、受話器５の一部がフックスイッチ６を押下げてＯＦＦとなり、電話機は待機状態になっている（例えば図８参照）。
【００３８】
この電話機に電話がかかってきた場合は、従来の通常の電話機と同様に受話器５を持ち上げて通話すればよい。この際に受話器５を持ち上げることにより、支持棒３は基部９の復元手段８により押し上げられ、受話器受け部４は受話器５を載せる前と同様に上方位置に戻っている（例えば図６，図７参照）。
【００３９】
通話が終了した場合は、受話器５を受話器載置部１上へ載置するのではなく、本発明に係る装置の受話器受け部４に掛けるように載置すればよい。受話器５の荷重を受けた支持棒３が、復元手段８の復元力に抗して下降するが、その下降スピードは基部９の下降スピード抑制手段７による制動力の作用により、急激ではなく徐々に下降する。
【００４０】
そのため、上記第１の発明と同様に受話器５もゆっくりと下降するので、受話器５が受話器載置部１に激しく当たることがなく、衝撃音の発生が防止されるから、相手方に衝撃音が伝わることが無く、驚かせたり不快な思いをさせなくなるし、自分の周囲の人を驚かせたり不快な感じを与えることも無くなる。
【００４１】
同時に、上記の如く受話器５がゆっくりと下降することで、受話器５の一部がフックスイッチ６を押下げるまでに少し時間の間隔が空くから、相手方よりも先に電話を切ってしまう「早切り」が防止でき、この面で相手方に不快な思いをさせることも無くなる。
【００４２】
上記いずれのものも、受話器受け部４の二股状が上部寄りで広く、下部よりほど狭く形成してあることで、受話器５を掛け易いことは勿論のこと、左右への位置ズレが防止されて定位置になり、正確にフックスイッチ６を押下げられることになっている。
【００４３】
なお、上記第１のものの設置は、電話機の受話器載置部１上面に取り付けるのが通常であるが、受話器載置部１側面に取り付けるるようにしてもよい。第１および第２のものも、受話器載置部１の底面にスポンジ等のクッション板を貼付しておけばより効果的である。
【００４４】
【実施例】
図１ないし図９は、本発明に係る早切り・衝撃音防止用装置の実施例を示すものであり、まず図１ないし図５は上記第１の発明に関し、後付けで卓上型電話機の受話器載置部１上部に設置したものである。
【００４５】
２は取付け用座部を示し、受話器載置部１上面の凹凸形状に合わせて湾曲させることができるように、ここではアルミニウム板製で、受話器載置部１上面に固定できる大きさとしてある。該取付け用座部２を受話器載置部１上面へ固定する手段としては、ここでは裏面に両面接着テープ（図示略）を用いている。
【００４６】
３は支持棒を示し、先部を上方へ二股状の受話器受け部４としてあり、ここではアルミニウム製で、受け部４先端から基部９までの長さが約６５ｍｍとしてある。この受け部付き支持棒３の内で受話器５と接触する部分には、樹脂コーティングを施してある。また二股状の受け部４は、受話器５の首部近傍を係合・掛止させるもので、上方ほど広がり気味で幅約６５ｍｍとしてある。
【００４７】
該支持棒３は、上記取付け用座部２上で基部９の横軸１０を支点に可回動に設けてあるが、その回動の範囲は、ここでは受話器５を掛けぬ際に先部の受け部４側を上方に約１５度の角度で傾斜状となり、受け部４へ受話器５を掛けた際に回動して下降し、少なくとも受話器５の一部がフックスイッチ６を押下げるほぼ水平状にまでは回動可能としてある。
【００４８】
７は下降スピード抑制手段を示し、ここでは油圧式のロータリーダンパー７ａを利用している。シンプルな構造とするため、取付け用座部２にダンパー７ａを軸１１が横向きになるように固定し、該ダンパーの軸１１に支持棒３の横軸１０を直結している。また受話器５の重さは電話機より一定でないから、ここでのダンパー７ａは、つまみ１２でトルクを調節可能なものを用いている。
【００４９】
８は復元手段を示し、ここではねじりコイルバネ８ａを用いており、上記支持棒３の基部９の外周に巻きかけて、取付け用座部２と支持棒３の下側との間に介装させてある。この復元力は、受話器５を受け部４から外した際に支持棒３が元の斜め状へ戻るように押圧する程度のものである。
【００５０】
ここでは、上記下降スピード抑制手段７の制動力と復元手段８の復元力とをも考慮して、受話器受け部４に受話器５を置いてから、約１秒間程度遅れてフックスイッチ６を押下げる位置まで下降するように設定してある。
【００５１】
なお上記では、ダンパー７ａの制動力はつまみ１２により可能なものを用いたが、それに限らず、例えばダンパー７ａの軸１１と支持棒３の横軸１０とをギヤやレバーを介して連結し、ギヤ比やレバー比を変えることでトルクを変えて、支持棒３の下降スピードを変えるようにしてもよい。あるいはまた、受話器５の重さによって予め数種類のものを用意しておいてもよいことは上記の通りである。
【００５２】
この構成により、上記発明の実施の形態の項に記載した如く、電話がかかってきて受話器５を受話器受け部４から外した際には、支持棒３は復元手段８としてのコイルバネ８ａの復元力で押上げられて上方へ斜め状となる。通話が終了して受話器５を受話器受け部４に掛けた際には、その荷重で支持棒３の下方への回動は横軸１０，軸１１を介して下降スピード抑制手段７としてのダンパー７ａに伝えられ、オイルの粘性抵抗によりローターの回転運動に制動力を受けて、支持棒３は下降スピードを抑制され、ゆっくりと下降することになっている。
【００５３】
図９は、上記第１の発明の他の実施例に関するもので、ここでの下降スピード抑制手段７ｃは、大きな歯車と小さな歯車とからなる大きな歯車比の変速装置を利用して、回動・下降する支持棒３側に負荷を与えることで、回動・下降スピードを抑制するようにしたものを示す。
【００５４】
次に、図６ないし図８は上記第２の発明に関するもので、卓上型電話機の製造段階で予め、上部が二股状の受話器受け部４とした支持棒３を、ほぼ垂直状に昇降可能に設けたものである。
【００５５】
３は支持棒を示し、上部が上方へ二股状の受話器受け部４としてあり、ここではアルミニウム製で外径約３ｍｍでの線材で、受け部４下部から基部９までの垂直部分は、その下端を後記下降スピード抑制手段７としてのショックアブソーバー７ｂのピストン１４の軸と一体にしてある。また受け部４には樹脂コーティングを施してある。
【００５６】
該支持棒３の垂直部分は、受話器載置部１の中央やや前方に形成した孔から昇降可能であり、その昇降の範囲は、受話器５を本発明に係る受け部４に掛けぬ際には、垂直部分が上方へここでは約３０ｍｍ程突出しており、受話器５を掛けた際には、少なくとも受話器５の一部がフックスイッチ６を押下げる位置まで下降可能としてある。
【００５７】
７は下降スピード抑制手段を示し、ここでは油圧式のショックアブソーバー７ａを利用しており、円筒部１３が上部を受話器載置部１から少し突出するように設けてあり、該円筒部１３内のピストン１４の軸と上記支持棒３の下部とが一体化してある。これで、受話器５を受け部４に掛けて荷重が加わった際に、支持棒３が下降時するが、ピストン１４で押下げられたオイルの圧縮による制動力で、支持棒３の下降スピードを抑制してゆっくりと下降するようにしてある。
【００５８】
またここでの復元手段８は、上記ショックアブソーバー７ｂが兼用しており、受話器５を外した際に、その荷重を受けなくなったピストン１４の上昇で、支持棒３が上昇して元の位置へ復元するようにしてある。
【００５９】
ここでは、受話器受け部４に受話器５を掛けてから、約１秒間程度遅れてフックスイッチ６を押下げる位置まで下降するように設定してある。この装置は上記のように、製造段階で予め内蔵しておくものであるから、その電話機の受話器５の重さに対応した下降スピード抑制力と復元力をもつショクアブソーバー７ｂを選択している。
【００６０】
この構成により、電話がかかってきて受話器５を受話器受け部４から外した際には、支持棒３はショクアブソーバーによる上方への復元力で押上げられ、通話の終了で受話器５を受話器受け部４に掛けた際には、その荷重で支持棒３が下降する。その際のスピードは、下部のショックアブソーバー７ｂのオイル圧縮による抵抗の制動力により、該支持棒３の下降スピードを抑制し、ゆっくりと下降するる。
【００６１】
なお、上記で示した材質、寸法、傾斜角度、下降時間等はそれに限定するものでないことは勿論である。図において、１５は軸受、１６はカバーを示す。
【００６２】
【発明の効果】
以上の如く、本発明に係る受話器の早切り・衝撃音防止用装置は、通話終了時に受話器を受話器載置台へ置いた際の衝撃音の発生を防止でき、かつ相手よりも先に電話を切ってしまう「早切り」を無くすことができるものである。
【００６３】
即ち、近時は電話機を使う際のマナーを知らぬ人が増えて、通話終了時に受話器を乱暴に載置台へ置く場合が少なくない。その際の衝撃音が相手方に伝わり、驚かせたり不快な思いをさせると共に、その衝撃音は自分の周囲の人を驚かせたり不快にさせたりもする。また相手方よりも先に電話を切ってしまう「早切り」で、相手方に不快な思いをさせることも多い。
【００６４】
それを防止するものとして、従来より幾つかのものが提案されていが、相手方へ衝撃音は伝わらなくなるものの、自分の周囲の人を衝撃音で驚かせたり、不快な思いをさせることは変わらないし、衝撃で受話器自体や置き台に損傷が生じたり、「早切り」で相手方に不快な思いをさせることも従来と変わらなかった。
【００６５】
これに対して、本発明に係る受話器の早切り・衝撃音防止用装置は、上記構成によって、電話機による通話が終了して受話器を受話器受け部に掛けた際、受話器の荷重を受けた支持棒が下降スピード抑制手段により制動力を受けながらゆっくり下降した後に、受話器の一部がフックスイッチを押下げてＯＦＦ状態となるものである。
【００６６】
そのため、イ）受話器がゆっくりと下降することで、受話器が受話器載置台へ激しく当たることがなくなり、大きな衝撃音の発生を防止できる。これで、通話の相手方に衝撃音が伝わることが無くなり、驚かせたり不快な思いをさせることが無くなるし、自分の周囲の人を驚かせたり不快な感じを与えることも無くすことができる。
【００６７】
ロ）同時に、上記の如く受話器がゆっくりと下降することにより、受け部に受話器を掛けてから受話器の一部がフックスイッチを押下げるまでに、少し時間の間隔が空くことになる。これで、相手方より先に電話を切ってしまう「早切り」を防止することができ、この面でも相手方に不快な思いをさせることを無くせるものである。
【００６８】
ハ）なお、二股状の受話器受け部の間隔を、上方ほど広く下方ほど狭くしてあれば、そこへ受話器を掛けることが容易になるし、そこにかけることで中心へ寄せられるから、位置ずれも防止されて、ＯＦＦ作動が確実に行えるようになる。
【図面の簡単な説明】
【図１】本発明に係る受話器の早切り・衝撃音防止用装置の後付け型の一実施例を取り付けた電話機を示す斜視図である。
【図２】図１で示した早切り・衝撃音防止用装置の実施例の平面図である。
【図３】図１で示した電話機で、受話器を受話器受け部に掛ける直前の側面図である。
【図４】図１で示した電話機で、受話器を受話器受け部に掛けた直後の側面図である。
【図５】図１で示した電話機で、受話器受け部に掛けた受話器がフックスイッチをＯＦＦにした状態の側面図である。直後の側面図である。
【図６】本発明に係る受話器の早切り・衝撃音防止用装置の内蔵型の一実施例を設けた電話機を示す斜視図である。
【図７】図６で示した電話機で、受話器を受話器受け部に掛ける直前の側面図である。
【図８】図６で示した電話機で、受話器受け部に掛けた受話器がフックスイッチをＯＦＦにした状態を示した側面図である。
【図９】本発明に係る受話器の早切り・衝撃音防止用装置の後付け型の別実施例を示す平面図である。
【符号の説明】
１−受話器載置部
２−取付け用座部
３−支持棒
４−受話器受け部
５−受話器
６−フックスイッチ
７−下降スピード抑止手段
７ａ−ロータリーダンパー
７ｂ−ショックアブソーバー
８−復元手段
８ａ−ねじりコイルバネ
９−基部
１０−横軸
１１−軸
１２−つまみ
１３−円筒部
１４−ピストン
１５−軸受
１６−カバー
【図１】
2004229155.tif 000003
【図２】
2004229155.tif 000004
【図３】
2004229155.tif 000005
【図４】
2004229155.tif 000006
【図５】
2004229155.tif 000007
【図６】
2004229155.tif 000008
【図７】
2004229155.tif 000009
【図８】
2004229155.tif 000010
【図９】
2004229155.tif 000011